(57)【要約】【課題】  表示ユニットの前面を含む薄型表示装置の広い前面部を覆う透明なフロントパネルの取り付けが容易で、しかも、多様な設置形態にも対応できる薄型表示装置を提供する。【解決手段】  薄型の表示ユニット部３０を本体筺体１０に内蔵するものであって、金属材料で形成されるフレーム部２０と、このフレーム部２０に取り付けられる前記表示ユニット部３０と、このフレーム部２０に取り付けられて前記本体筺体１０の前部を覆うフロントケース部４０と、このフレーム部２０に取り付けられて前記本体筺体１０の後部を覆うバックケース５０とを備え、前記フロントケース部４０は、その前面を覆う透明パネル部４２を備え、前記透明パネル部４２とフレーム部２０とバックケース５０は、一対の貫通穴Ｚを有し、この貫通穴Ｚに取り付けられる支持部材１００により固定するようにする。【選択図】  図１
2012073554.tif 000002
【特許請求の範囲】
【請求項１】
薄型表示ユニットを本体筺体に内蔵する薄型表示装置であって、
金属材料で形成されるフレーム部と、このフレーム部に取り付けられる前記薄型表示ユニットと、このフレーム部に取り付けられて前記本体筺体の前部を覆うフロントケース部と、このフレーム部に取り付けられて前記本体筺体の後部を覆うバックケースとを備え、
前記フロントケース部は、その前面を覆う透明パネル部を備え、
前記透明パネル部とフレーム部とバックケース５０は、一対の貫通穴を有し、この貫通穴に取り付けられる支持部材により固定される
ことを特徴とする薄型表示装置。
【請求項２】
請求項１記載の薄型表示装置において、
前記一対の貫通穴は、前記本体筺体の下方に設けられ、
この一対の貫通穴の間に操作基板、この一対の貫通穴の両側にスピーカ部が内蔵されている
ことを特徴とする薄型表示装置。
【請求項３】
請求項１または２記載の薄型表示装置において、  
前記支持部材は、連結ボルト部と、前記本体筺体を設置面に対して支持する脚部とを含んで構成され、
前記連結ボルト部の一端は前記脚部に固定され、前記連結ボルト部の他端は前記貫通穴に挿入されて固定される
ことを特徴とする薄型表示装置。
【発明の詳細な説明】
【技術分野】
【０００１】
本発明は、液晶テレビジョン受像機やプラズマテレビジョン受像機などの薄型の筺体構造を備えた薄型表示装置に関するものである。
【背景技術】
【０００２】
近年、液晶ディスプレイやプラズマディスプレイなどの薄型表示装置が脚光を浴びている。特に、テレビジョン受像機では、５０インチ前後の大型画面の薄型テレビの需要が高まっている。これら大型の薄型テレビは、その画面が大きいことから、部屋内に占める面積も大きく、また高額商品であることから、高級感の演出やインテリアにマッチするようにさまざまな工夫が施されている。特に、近年では、筺体前面を透明ガラスで構成することで、その前面をフラットにしたフルフラットのデザインが注目を浴びている。
【０００３】
一般に、この種の薄型テレビは、フロントケースの裏面に表示ユニットを取り付けて、これをバックケースで覆う構造を備えている。表示ユニットは裏面側に板状の補強板を備えており、この表示ユニットをフロントケースに取り付け、更にバックケースを取り付けることで全体の強度を維持させている。このため、脚部を取り付ける際には、脚部の先端を表示ユニットの補強板に取り付ける構造となっている。一方、筺体の前面をガラス材料や透明樹脂材料で覆う場合、その取り付けには、両面テープで取り付けることが広く採用されている。
【先行技術文献】
【特許文献】
【０００４】
【特許文献１】特開２００９−１０５５１７号公報
【特許文献２】特開２００９−７５３７２号公報
【特許文献３】特開平１０−１４３０９２号公報
【発明の概要】
【発明が解決しようとする課題】
【０００５】
透明ガラスや透明樹脂材料は、その前面から内部が視認できたり、あるいは、裏面塗装を施して使用するため、裏面側に取付リブを形成することができない。このため、これら透明材料を筺体に取り付ける場合には、両面テープでの組み立てが広く採用されている。しかし、近年脚光を浴びているフルフラットのデザイン、即ち、表示ユニットの表示画面を含む筺体前面を透明材料で覆う構造では、大きな透明材料を両面テープのみで支持するため、強度を維持するための工夫が必要である。
【０００６】
一方、これら大型の表示画面を備えたテレビジョン受像機では、多様な設置形態に対応した支持構造が求められている。
【０００７】
そこで、この発明の目的とするところは、表示ユニットの前面を含む薄型表示装置の広い前面部を覆う透明なフロントパネルの取り付けが容易で、しかも、多様な設置形態にも対応できる薄型表示装置を提供することにある。
【課題を解決するための手段】
【０００８】
前記目的を達成するために、本発明に係る薄型表示装置は、金属材料で形成されるフレーム部と、このフレーム部に取り付けられる前記表示ユニット部と、このフレーム部に取り付けられて前記本体筺体の前部を覆うフロントケース部と、このフレーム部に取り付けられて前記本体筺体の後部を覆うバックケースとを備え、前記フロントケース部は、その前面を覆う透明パネル部を備え、前記透明パネル部とフレーム部とバックケースは、一対の貫通穴を有し、この貫通穴に取り付けられる支持部材により固定するようにする。
【発明の効果】
【０００９】
本発明によれば、表示ユニットの前面を含む薄型表示装置の広い前面部を覆う透明なフロントパネルの取り付けが容易で、しかも、多様な設置形態にも対応できる薄型表示装置を提供することができる。
【図面の簡単な説明】
【００１０】
【図１】実施例１に係るテレビジョン受像機の部品展開図である。
【図２】実施例１に係るテレビジョン受像機の脚部の部品展開図である。
【図３】実施例１に係るテレビジョン受像機の外観図である。
【図４】実施例１に係るテレビジョン受像機の縦断面図である。
【図５】実施例２に係るテレビジョン受像機の部品展開図である。
【図６】実施例２に係るテレビジョン受像機の外観図である。
【図７】実施例３に係るテレビジョン受像機の部品展開図である。
【図８】実施例３に係るテレビジョン受像機の外観図である。
【図９】実施例４に係るテレビジョン受像機の部品展開図である。
【図１０】実施例４に係るテレビジョン受像機の外観図である。
【図１１】実施例５に係るテレビジョン受像機の取り付け構造図である。
【発明を実施するための形態】
【００１１】
以下、図１から図１１を参照して、この発明に係る薄型表示装置の実施例を説明する。ここで、図１から図４が実施例１を示し、図５と図６が実施例２、図７と図８が実施例３、図９と図１０が実施例４、図１１が実施例５をそれぞれ示している。なお、全図において、同様な部位は同一符号をもって示し、重複した説明を省略する。
【実施例１】
【００１２】
先ず、図１から図４を参照して、実施例１に係るテレビジョン受像機を具体的に説明する。ここで、図１は、実施例１に係るテレビジョン受像機の部品展開図である。図２は、このテレビジョン受像機の脚部の部品展開図である。図３は、このテレビジョン受像機の外観図であり、図３（ａ）が平面図、図３（ｂ）が正面図、図３（ｃ）が右側面図、図３（ｄ）が裏面図である。図４は、このテレビジョン受像機の縦断面図である。
【００１３】
先ず、図１を参照して、実施例１に係るテレビジョン受像機の概略構造を説明する。図１において、符号１で総括的に示すのは、５０インチ程度の大型の表示画面を備えたテレビジョン受像機であり、表示画面を備えた本体筺体１０と、この本体筺体１０を支持する支持部材１００とを含んで構成される。
【００１４】
本体筺体１０は、この本体筺体１０の強度を維持する骨格構造体であるフレーム部２０と、このフレーム部２０に取り付けられる表示ユニット部３０と、この本体筺体１０の前面を覆うフロントケース部４０と、この本体筺体１０の後方を覆うバックケース５０とを含んで構成される。
【００１５】
フレーム部２０は、金属材料で枠状に形成されるものであり、その下辺に支持部材１００を支持する貫通穴Ｚ１が形成されている。表示ユニット部３０は、バックライト機能を備えた液晶表示装置やプラズマ表示装置などから構成されるものであり、フレーム部２０の枠内に取り付けられる。フロントケース部４０は、樹脂材料で形成される枠形状のフロント枠体４１と、このフロント枠体４１に取り付けられる透明パネル部４２とから構成される。バックケース５０は、樹脂材料で形成されるものであり、裏面側に制御基板などを収納する張出部５１が形成されている。
【００１６】
この実施例では、フレーム部２０に一対の貫通穴Ｚ１を設け、この一対の貫通穴Ｚ１に合わせて、フロントケース部４０とバックケース５０にも一対の貫通穴Ｚ２（Ｚ２ａ、Ｚ２ｂ）と、一対の貫通穴Ｚ３をそれぞれ備えている。そして、この実施例では、この３つの部材に設けられる一対の貫通穴Ｚに支持部材１００の連結ボルト部１０１を貫通させて支持部材１００を取り付ける構造を採用している。
【００１７】
この実施例の支持部材１００は、４つの支持脚部１１０を一対の貫通穴Ｚに取り付けることで、本体筺体１０を支持する。１つの脚部１１０は、棒状の脚部本体１１１と、この脚部本体１１１の長手方向の一端に所定の角度をもって設けられる連結ボルト部１０１とから構成される。この実施例では、１つの貫通穴Ｚに、２つの支持脚部１１０の連結ボルト部１０１を、本体筺体１０の前後から挿入して、これをネジ１０２を介して、連結する。
【００１８】
吹き出し内に示すように、フレーム部２０の貫通穴Ｚ１は、円形の開口穴の一部に、内方に張り出した張出部Ｚ０が設けられている。一方、この連結ボルト部１０１の先端部１０３は、吹き出し内に示すように、円形の棒状部の一部が張出部Ｚ０に対応して切り欠かれた形状を備えている。このため、貫通穴Ｚ１に連結ボルト部１０１の先端部１０３を嵌合させることにより、脚部１１０が連結ボルト部１０１を中心に回転するのを阻止することができる。この実施例では、脚部１１０が両側に開く位置で固定するように、連結ボルト部１０１の先端部１０３を位置合わせしている。これにより、下方に向かって前後と左右に開いて伸びる４つの脚部１１０で本体筺体１０を確り支持することができる。
【００１９】
そして、この実施例に係るテレビジョン受像機１の大きな特徴の１つは、本体筺体１０を構成するフレーム部２０とフロントケース部４０とバックケース５０を貫通する貫通穴Ｚを形成し、この貫通穴をボルトで連結することにより、複数の部材を強固に連結した点にある。
【００２０】
即ち、従来構造のテレビジョン受像機は、表示ユニット部３０の表示画面を露出するようなフロントケース部４０を採用しているのが一般的である。この従来構造では、フレーム部２０にネジ止めされたフロント枠体４１に、枠状の透明パネル部を両面テープで接着することが広く採用されている。これは、透明パネルの場合、裏面に取付リブを形成すると、この取付リブが外から見えたり、あるいは、ヒケやウェルドが発生する課題があるためである。加えて、透明パネルは、通常、裏面印刷を用いて使用されることが一般的であるためである。
【００２１】
一方、本実施例のように、本体筺体１０の前面を覆う大きさを備えた透明パネル部４２を組み立てる場合は、大きな透明パネル部４２をより強い粘着力や広い面積を備えて接着する必要がある。
【００２２】
本発明者は、前記課題を解決するために、透明パネル部４２を含む本体筺体１０の強度部材に貫通穴Ｚを形成し、この貫通穴を介して、これら複数の部材を連結することを発想した。これにより、両面テープによる接着力を軽減することができる。
【００２３】
また、この実施例に係るテレビジョン受像機１の大きな特徴の他の１つは、前記貫通穴Ｚを本体筺体１０の下辺の両側に各１個設けた点にある。
【００２４】
即ち、この種のテレビジョン受像機１は、リモコンを紛失しても操作可能なように、本体筺体１０に操作部を設ける必要がある。また、当然のように、テレビジョン受像機１には、ステレオ対応の一対のスピーカを設ける必要がある。特に、大型テレビジョン受像機１の場合は、操作性を考慮すると、正面の下部中央に操作部を設けることが有効であり、更に、この操作部の両側スピーカを設けるのは、コンパクト化に有効である。
【００２５】
そこで、本発明者らは、前記必然的な配置に着目し、中央の操作基板と、その両側のスピーカ部との間に一対の貫通穴Ｚを設けることを着想した。この構造によれば、本体筺体１０の下辺に、操作基板と、一対の貫通穴Ｚと、一対のスピーカ部を効率よくコンパクトに収めることができる。しかも、両側に配置される一対の貫通穴Ｚを形成することで、フロント枠体４１と透明パネル部４２のズレをなくすことができる。なお、一対の貫通穴Ｚを本体筺体１０の一方（下辺）で連結すると、他方（上辺）の連結が悪くなる課題がある。この課題は、両面テープ等の補助連結部材で連結する。つまり、この特徴の主たる狙いは、複数の部材を確実に連結することで、部材の落下などの防止を図ることであって、細部の嵌合精度は両面テープやネジなどを用いる。
【００２６】
また、この実施例に係るテレビジョン受像機１の大きな特徴の他の１つは、前記貫通穴Ｚを用いて本体筺体１０に支持部材１００を取り付ける点にある。
【００２７】
即ち、この種のテレビジョン受像機は、低いスタンドを取り付けてテレビスタンドに設置したり、あるいは、高いスタンドを取り付けて床面に直接設置したり、あるいは、壁面取り付け具を介して壁面に取り付けるなど多様な設置が求められている。従来構造においては、本体筺体１０の下部に設けられるスタンド取付部にスタンドを取り付けたり、あるいは、本体筺体１０の裏面に壁面取り付け具を直接取り付けたりする構造を採用するのが一般的である。
【００２８】
この実施例では、前記貫通穴Ｚを介して、本体筺体１０を支持する支持部材１００を採用した。これにより、支持部材１００とフレーム部２０とを連結することができるので、強度を向上させることができる。しかも、この支持部材１００の共通化が図れるから、構造を簡単にすることができる。
【００２９】
以下、図２から図４を参照して、この実施例に係るテレビジョン受像機１を更に詳細に説明する。
【００３０】
図２において、この実施例では、同じ構造を備えた４つの脚部１１０を介して、本体筺体１０を支持することができる。即ち、１つの脚部１１０は、一方が太くて徐々に細くなる棒状の脚部本体１１１と、太い部分の端部に所定の角度で取り付けられる連結ボルト部１０１とから構成される。この実施例では、一対の脚部１１０の連結ボルト部１０１の先端部１０３をフレーム部２０に設けられる貫通穴Ｚ１に挿入して固定する構造を備えている。固定する構造としては、１つの連結ボルト部１０１の軸心にネジ穴１０４を形成し、一方からこのネジ穴１０４にネジ１０２を挿入して、他方の連結ボルト部１０１の先端部１０３に形成した図示しないネジ穴に挿入して固定する構造としている。互いの先端部１０３は、張出部Ｚ０を備えた貫通穴Ｚ１に嵌合して固定されるので、脚部１１０が貫通穴Ｚを中心に回転することを阻止することができる。また、連結ボルト部１０１にはワッシャ１０５が取り付けられるので、この一対のワッシャ１０５の間に本体筺体１０を挟みこんで、本体筺体１０を構成する複数の部材を固定することができる。
【００３１】
次に、図３を参照して、この実施例に係るテレビジョン受像機１の外観構造を説明する。テレビジョン受像機１の本体筺体１０は、奥行きの小さい薄い板状の箱体の裏面側に一回り小さい薄い板状の張出部５１を備えた形状としている。張出部５１は裏面側の中央下部に設けられているので、正面側から見えづらく形成されている。このため、正面の板状の箱体の薄さが目立つ、薄型構造を実現することができる。
【００３２】
本体筺体１０の外装は、フロント枠体４１と透明パネル部４２からなるフロントケース部４０とバックケース５０とで構成される。透明パネル部４２は、内部の表示ユニット部３０を覆うガラス材料で形成されるものであり、裏面側に表示ユニット部３０の表示画面の領域を囲む枠状の裏面塗装が施されている。また、透明パネル部４２は、本体筺体１０の前面の外周を覆うフロント枠体４１に支持されている。
【００３３】
本体筺体１０の下部中央には、底面にスイッチ類が露出するように設けられる操作基板６０が内蔵され、その両側には、底面側に放音部を備えたスピーカ部６１が内蔵されている。そして、操作基板６０とスピーカ部６１との間に一対の貫通穴Ｚに取り付けられる支持部材１００が取り付けられている。支持部材１００を構成する４つの脚部１１０は、四方でかつ下方に開いた配置で取り付けられているために、この４つの脚部１１０で、本体筺体１０を安定して支持することができる。
【００３４】
図４において、この実施例では、フレーム部２０にフロント枠体４１とバックケース５０及び表示ユニット部３０とが取り付けられる。フロント枠体４１には、透明パネル部４２が取り付けられる。図から分かるように、透明パネル部４２は、貫通穴Ｚ２を介して、前方から連結ボルト部１０１が挿入され、連結ボルト部１０１に取り付けられるワッシャ１０５とフレーム部２０との間で支持される。一方、バックケース５０は、貫通穴Ｚ３を介して、後方から連結ボルト部１０１が挿入され、連結ボルト部１０１に取り付けられるワッシャ１０５とフレーム部２０との間で支持される。
【００３５】
貫通穴Ｚ１に挿入される一対の連結ボルト部１０１は一方から挿入されるネジ１０２によって連結して固定される。これにより、フレーム部２０に透明パネル部４２とフロント枠体４１とバックケース５０が一対のワッシャ１０５の間に固定される。なお、連結ボルト部１０１の他端側には、脚部本体１１１が回転しないように取り付けられている。また、ネジ１０２の挿入口にはキャップ１０６を取り付けることにより意匠性を向上することができる。
【００３６】
また、フレーム部２０に取り付けられる表示ユニット部３０は、その裏面側に、制御基板やチューナ基板などの主基板６２が取り付けられている。この実施例では、この制御基板６２を覆うために張出部５１が設けられている。
【００３７】
なお、この実施例のフレーム部２０は、操作基板６０と一対のスピーカ部６１を取り付けるために、下端部に切欠部２１（図１参照）を備えている。
【００３８】
また、この実施例では、脚部本体１１１の短い卓上型で説明したが、脚部本体１１１を長く形成することで、フロアー型にもすることができる。
【実施例２】
【００３９】
次に、図５と図６を参照して、実施例２に係るテレビジョン受像機２を具体的に説明する。ここで、図５は、実施例２に係るテレビジョン受像機の部品展開図であり、図５（ａ）はテレビジョン受像機の部品展開図、図５（ｂ）は支持部材１００の拡大図である。図６は、テレビジョン受像機の外観図であり、図６（ａ）が平面図、図６（ｂ）が正面図、図６（ｃ）が右側面図である。また、本体筺体１０は、実施例１と同様につき説明を省略する。
【００４０】
図５と図６において、この実施例２の大きな特徴の１つは、支持部材１００を、本体筺体１０の一対の貫通穴Ｚに取り付けられる一対の連結ボルト部１０１と、この一対の連結ボルト部１０１の両端部に取り付けられる一対の板状脚部１２０とを含んで構成した点にある。
【００４１】
この板状脚部１２０は、横長の姿勢で、その裏面側を一対の連結ボルト部１０１に取り付けられることで、本体筺体１０を前後で挟んで連結して支持する構造を備えている。ここで、一対の板状脚部１２０の一方の板状脚部１２０ａは一対の連結ボルト部１０１の端部と溶接などで連結され、他方の板状脚部１２０ｂはネジ１０２を介して連結される。
【００４２】
一対の板状脚部１２０は、一対の連結ボルト部１０１の取付位置の両側の屈折部１２１を介して、外側に折り曲げられている。ここで、屈折部１２１は、この一対の屈折部１２１の上辺Ｌ１の長さより、下辺の長さＬ２を長く形成している。この構造によれば、板状脚部１２０の両端を外側に折り曲げることにより、その両端部１２２は、貫通穴Ｚより外側で、かつ下方に位置するように形成することができる。これにより、図６に示すように、本体筺体１０の前後で支持する一対の板状脚部１２０は、その両端部１２２を四方に広げた形状となるので、本体筺体１０を設置面に対して安定支持することができる。
【実施例３】
【００４３】
次に、図７と図８を参照して、実施例３に係るテレビジョン受像機３を具体的に説明する。ここで、図７は、実施例３に係るテレビジョン受像機の部品展開図であり、図７（ａ）はテレビジョン受像機の部品展開図、図７（ｂ）は支持部材１００の拡大図である。図８は、テレビジョン受像機の外観図であり、図８（ａ）が平面図、図８（ｂ）が正面図、図８（ｃ）が右側面図である。また、本体筺体１０は、実施例１と同様につき説明を省略する。
【００４４】
図７と図８において、この実施例３の大きな特徴の１つは、支持部材１００を、本体筺体１０の一対の貫通穴Ｚにそれぞれ取り付けられるパイプ状脚部１３０で構成した点にある。
【００４５】
このパイプ状脚部１３０は、側面から見て（図８参照）、パイプを台形状に折り曲げた形状を備えている。また、このパイプ状脚部１３０は、前部脚部１３１と後部脚部１３２に前後に分割されており、これをネジ１０２で連結する構造を備えている。この実施例では、前部脚部１３１の上辺部１３１ａを連結ボルト部１０１と同種の構造で形成し、前部脚部１３１の下辺部１３１ｂを後方部まで伸ばして形成している。そして、前部脚部１３１と後部脚部１３２のぞれぞれの端部をネジ１０２で連結する構造としている。
【００４６】
図８に示すように、この実施例によれば、パイプ状脚部１３０は、その下辺部１３１ｂを両側に開くように上辺部１３１ａ（連結ボルト部１０１）を貫通穴Ｚに固定され、かつ、下辺部１３１ｂは前後に長く形成されているので、コンパクトな形態で本体筺体１０を安定して支持することができる。
【実施例４】
【００４７】
次に、図９と図１０を参照して、実施例４に係るテレビジョン受像機４を具体的に説明する。ここで、図９は、実施例４に係るテレビジョン受像機の部品展開図である。図１０は、テレビジョン受像機の外観図であり、図１０（ａ）が平面図、図１０（ｂ）が正面図、図１０（ｃ）が右側面図である。また、本体筺体１０は、実施例１と同様につき説明を省略する。
【００４８】
図９と図１０において、この実施例４の大きな特徴の１つは、支持部材１００を、本体筺体１０の一対の貫通穴Ｚに取り付けられるパイプ状支持部１４０と、このパイプ状支持部１４０を支持する回転台部１５０とで構成し、この支持部材１００を介して、本体筺体１０を回転可能に支持する構造とした点にある。
【００４９】
パイプ状支持部１４０は、金属材料のパイプ状部材を折り曲げて形成される前部支持部材１４０ａと後部支持部材１４０ｂとから構成され、その形状は、正面から見てＵ字状を成し、側面から見て、Ｕ字状の上端に水平方向に折り曲げられた接続端部１４１ａ、１４１ｂを備えている。この実施例では、前部支持部材１４０ａの接続端部１４１ａを連結ボルト部１０１と同様な形状に形成している。そして、この一対のパイプ状支持部１４０は、一対の接続端部１４１ａを一対の貫通穴Ｚに挿入して、その端部を、ネジ１０２を介して、接続端部１４１ｂと連結することで、本体筺体１０を前後から支持することができる。
【００５０】
一方、回転台部１５０は、床面に設置されるスタンドベース１５１と、このスタンドベース１５１の上部を覆う化粧パネル１５２と、スタンドベース１５１の中央に設けられる凸状の円柱回転軸部１５３と、この円柱回転軸部１５３に挿入されるリング状の下部回転体１５４と、この円柱回転軸部１５３に挿入されるリング状の上部回転体１５５と、金属材料で形成される回転体押さえ板１５６と、回転体の上部を覆う上部カバー１５７とを積層した構造を備えている。
【００５１】
下部回転体１５４と上部回転体１５５は、両者の接触面に、一対のパイプ状支持部１４０の下辺部を支持する一対の溝部１５８を備えている。また、スタンドベース１５１と下部回転体１５４の間と、上部回転体１５５と回転体押さえ板１５６との間には、摩擦を軽減するリング状の薄い潤滑部材１５９、例えばジュラコンが配置される。そして、回転体押さえ板１５６は、円柱回転軸部１５３の上辺にネジ１０２を介して取り付けられる。
【００５２】
この実施例では、スタンドベース１５１と回転体押さえ板１５６との間に、パイプ状支持部１４０の下辺部を支持する下部回転体１５４と上部回転体１５５が回転可能に支持される。これにより、本体筺体１０を回転可能に支持することができる。
【００５３】
この実施例では、化粧パネル１５２を裏面印刷が施された透明樹脂材料で形成し、下部回転体１５４以外の部分を覆う構造とすることで、意匠性を向上させている。また、上部カバー１５７も裏面印刷が施された透明樹脂材料で形成することで、回転体押さえ板１５６の上部の意匠性を向上させている。
【実施例５】
【００５４】
次に、図１１を参照して、実施例５に係るテレビジョン受像機５を具体的に説明する。ここで、図１１は、実施例５に係るテレビジョン受像機の取り付け構造図であり、図１１（ａ）が壁面に取り付けた状態の断面図、図１１（ｂ）が壁面に取り付けた状態の正面図、図１１（ｃ）が壁面に取り付ける支持部材の外観図である。また、本体筺体１０は、実施例１と同様につき説明を省略する。
【００５５】
図１１において、この実施例５の大きな特徴の１つは、板状の壁面取付ベース１６１の前部に一対の連結ボルト部１０１を備えた簡単な構造の壁面取付具１６０を備えることで、本体筺体１０を壁面に簡単に取り付けることができる点である。
【００５６】
この実施例に係る支持部材１００を構成する壁面取付具１６０は、ネジ穴１６２を備えた板状の壁面取付ベース１６１の前面下方に一対の連結ボルト部１０１を左右に配置する簡単な構造で、本体筺体１０を壁面に取り付けることができる。即ち、先ず、壁面取付ベース１６１を、ネジ穴１６２を介して、ネジ止めし、その後、一対の連結ボルト部１０１に貫通穴Ｚを挿入して本体筺体１０を取り付け、一対の連結ボルト部１０１の先端部に押さえ板１６３を取り付けることで、本体筺体１０を壁面に簡単に取り付けることができる。しかも、この実施例によれば、この壁面取付具１６０に本体筺体１０を取り付けると同時に、この取り付けにより、透明パネル部４２を同時に固定することができるので、透明パネル部４２の落下を確実に防止することができる。
【００５７】
このように、この実施例に係るテレビジョン受像機を含む薄型表示装置では、薄型の表示ユニット部３０を本体筺体１０に内蔵するものであって、金属材料で形成されるフレーム部２０と、このフレーム部２０に取り付けられる前記表示ユニット部３０と、このフレーム部２０に取り付けられて前記本体筺体１０の前部を覆うフロントケース部４０と、このフレーム部２０に取り付けられて前記本体筺体１０の後部を覆うバックケース５０とを備え、前記フロントケース部４０は、その前面を覆う透明パネル部４２を備え、前記透明パネル部４２とフレーム部２０とバックケース５０は、一対の貫通穴Ｚを有し、この貫通穴Ｚに取り付けられる支持部材１００により固定するようにする。
【００５８】
この場合、前記一対の貫通穴Ｚは、前記本体筺体１０の下方に設けられ、この一対の貫通穴Ｚの間に操作基板６０、この一対の貫通穴Ｚの両側にスピーカ部６１が内蔵されるようにする。また、前記支持部材１００は、連結ボルト部１０１と、前記本体筺体１０を設置面に対して支持する脚部１１１とを含んで構成され、前記連結ボルト部１０１の一端は前記脚部１１１に固定され、前記連結ボルト部１０１の他端は前記貫通穴Ｚに挿入されて固定されるようにする。
【００５９】
そして、前記支持部材１００は、貫通穴Ｚに固定される連結ボルト部１０１を備えれば、脚部１１１は多様な形態を取ることができる。例えば、前記支持部材１００を、一対の貫通穴Ｚの前後にそれぞれ独立して取り付けられる構造でもよいし、左右の貫通穴Ｚにそれぞれ取り付けられる構造でもよいし、一対の貫通穴Ｚの前後から取り付ける構造でもよい。
【符号の説明】
【００６０】
１、２，３，４，５…テレビジョン受像機、１０…本体筺体、２０…フレーム部、３０…表示ユニット部、４０…フロントケース部、４１…フロント枠体、４２…透明パネル部、５０…バックケース、５１…張出部、６０…操作基板、６１…スピーカ部、６２…主基板、１００…支持部材、１０１…連結ボルト部、１０２…ネジ、１０３…先端部、１０４…ネジ穴、１０５…ワッシャ、１０６…キャップ、１１０…脚部、１１１…脚部本体、１２０…板状脚部、１３０…パイプ状脚部、１３１…前部脚部、１３１ａ…上辺部、１３１ｂ…下辺部、１３２…後部脚部、１４０…パイプ状支持部、１４０ａ…前部支持部材、１４０ｂ…後部支持部材、１４１ａ、１４１ｂ…接続端部、１５０…回転台部、１５１…スタンドベース、１５２…化粧パネル、１５３…円柱回転軸部、１５４…下部回転体、１５５…上部回転体、１５６…回転体押さえ板、１５７…上部カバー、１５８…溝部、１５９…潤滑部材、１６０…壁面取付具、１６１…壁面取付ベース、１６２…ネジ穴、１６３…押さえ板、Ｚ、Ｚ１、Ｚ２、Ｚ３、…貫通穴、Ｚ０…張出部。
【図１】
2012073554.tif 000003
【図２】
2012073554.tif 000004
【図３】
2012073554.tif 000005
【図４】
2012073554.tif 000006
【図５】
2012073554.tif 000007
【図６】
2012073554.tif 000008
【図７】
2012073554.tif 000009
【図８】
2012073554.tif 000010
【図９】
2012073554.tif 000011
【図１０】
2012073554.tif 000012
【図１１】
2012073554.tif 000013